(57)【要約】      （修正有）【課題】火災時の強度、耐熱性を有し、製造性の高い戸体を提供する。【解決手段】屋内側表面材５０ｂと、屋外側表面材５０ｃと、これら表面材の四周、又はこれら表面材の開口部の周縁に設けられこれら表面材に挟持される補強芯材と、を備える戸体であって、第１の補強芯材が、金属製の芯材と、芯材の少なくとも屋内側面の一部を覆う樹脂材と、を一体で有する。【選択図】図７
2018104927.tif 000002
【特許請求の範囲】
【請求項１】
屋内側表面材と、屋外側表面材と、これら表面材の四周、又はこれら表面材の開口部の周縁に設けられこれら表面材に挟持される補強芯材と、を備える戸体であって、
前記補強芯材が、金属製の芯材と、該芯材の少なくとも屋内側面の一部を覆う樹脂材と、を一体で有する戸体。
【請求項２】
前記屋内側表面材と前記屋外側表面材との間に配置される断熱材をさらに備え、
前記補強芯材が、断面Ｃ字状に形成されるとともにその開口側に前記断熱材が隣接して配置され、
前記樹脂材が、前記芯材の屋内側面及び屋外側面を覆うように設けられるとともに、前記芯材の開口縁において外側から内側に向かって巻き込まれるように設けられる請求項１に記載の戸体。
【発明の詳細な説明】
【技術分野】
【０００１】
本発明は、屋内側表面材と、屋外側表面材とを備える戸体に関する。
【背景技術】
【０００２】
従来、防火扉として用いられる戸体の周部の強度を高めるため、金属製の補強芯材が配置される。この補強芯材の断熱性を高めるために、補強芯材に樹脂材を固定した戸体が提案されている（例えば特許文献１を参照）。
【先行技術文献】
【特許文献】
【０００３】
【特許文献１】特開２０１５−９８７１４号公報
【発明の概要】
【発明が解決しようとする課題】
【０００４】
しかしながら、特許文献１に記載の技術を用いた場合には、補強芯材と樹脂材とをねじ固定しなければならず、戸体の製造性が低下する。
【０００５】
本発明は、耐熱性を有し、製造性の高い戸体を提供することを目的とする。
【課題を解決するための手段】
【０００６】
本発明は、屋内側表面材と、屋外側表面材と、これら表面材の四周、又はこれら表面材の開口部の周縁に設けられこれら表面材に挟持される補強芯材と、を備える戸体であって、前記補強芯材が、金属製の芯材と、該芯材の少なくとも屋内側面の一部を覆う樹脂材と、を一体で有する戸体に関する。
【０００７】
また、前記屋内側表面材と前記屋外側表面材との間に配置される断熱材をさらに備え、前記補強芯材が、断面Ｃ字状に形成されるとともにその開口側に前記断熱材が隣接して配置され、前記樹脂材が、前記芯材の屋内側面及び屋外側面を覆うように設けられるとともに、前記芯材の開口縁において外側から内側に向かって巻き込まれるように設けられることが好ましい。
【発明の効果】
【０００８】
本発明によれば、耐熱性を有し、製造性の高い戸体を提供することができる。
【図面の簡単な説明】
【０００９】
【図１】本実施形態における建具を屋外側から視た図である。
【図２】上記実施形態における建具を屋内側から視た図である。
【図３】上記実施形態における建具の縦断面図である。
【図４】上記実施形態における建具の横断面図である。
【図５】上記実施形態における戸体の縦断面図である。
【図６】上記実施形態における親扉の横断面図である
【図７】上記実施形態における子扉の横断面図である。
【図８】上記実施形態における戸体の備える第１の補強芯材の長手方向に対する垂直断面図である。
【図９】上記実施形態における戸体の備える第２の補強芯材の長手方向に対する垂直断面図である。
【図１０】上記実施形態における戸体の備える第３の補強芯材の長手方向に対する垂直断面図である。
【発明を実施するための形態】
【００１０】
以下、本発明の実施形態について、図面を参照しながら詳しく説明する。
図１は、本実施形態の建具を屋外側から視た図である。図２は、本実施形態の建具を屋内側から視た図である。なお、以下において左右とは、屋内側から視た場合の左右を意味する。
図１又は図２に示すように、建具１は、玄関ドア等のドアが躯体（建物）に形成された開口に納められて構成される。建具１は、躯体の開口に取り付けられる枠体２と、該枠体２に丁番３を介して屋外側（図１中手前側）に開閉可能に吊り込まれた戸体としての親扉４及び子扉５と、を備える。
【００１１】
枠体２は、上枠２ａと、下枠２ｂと、右縦枠２ｃと、左縦枠２ｄと、により矩形に枠組みされる。
親扉４は、矩形に組み立てられて、中心部に形成された開口部４０ａを有する親扉本体４０と、開口部４０ａに嵌め込まれたガラス１１と、を含む。子扉５は、矩形に組み立てられ、中心部に形成された開口部５０ａを有する子扉本体５０と、開口部５０ａに嵌め込まれたガラス１２と、を含む。
親扉本体４０及び子扉本体５０は、後述する構成部材により、枠体２に対応して矩形に組み立てられる。そして、親扉本体４０の屋外側表面材４０ｃの戸先側には、ロック廻り部品としての上下のシリンダー錠６ａ、６ｂ及びハンドル（把手）７が取り付けられている。
【００１２】
図３〜図７を用いて本実施形態における親扉４及び子扉５の構成を詳細に説明する。図３は本実施形態における建具の縦断面図である。図４は、本実施形態における建具の横断面図である。図５は、本実施形態における子扉の縦断面図である。図６は、本実施形態における子扉の横断面図である。なお、以下に説明する親扉４の構造と子扉５の構造は略同一であるため、親扉４と子扉５とで同様の構成については、対応する符号を付して説明を一部省略する。
【００１３】
図３及び図４に示すように、建具１は、親扉４及び子扉５が枠体２により躯体８の開口８０から屋外側へ若干オフセットされて、開口８０に納められる。
【００１４】
開口８０は、梁部材８１と、左右の柱部材８２と、屋内側の床材（モルタル８７）と、で区画形成される。梁部材８１と左右の柱部材８２の内面には、額縁材８４が貼設される。額縁材８４は、梁部材８１と右方の柱部材８２にはスペーサを介して貼り付けられ、左方の柱部材８２に直接貼り付けられる。屋内側の床材は、モルタル８７と化粧材とを有する。開口８０の屋外側において、枠体２の周りには、シーリング材９１が介装され、その外側には外装材９０が介装される。
【００１５】
屋内側の床材と屋外側の床材とは、後述する下枠２ｂの段差に対応して、つまずきにくい所定の段差（例えば２０ｍｍ以下）を有している。
【００１６】
枠体２を構成する上枠２ａは、本体枠部２０ａと２つの取付片部２０ｂ、２０ｃとを備える。
本体枠部２０ａは、断面方形（ホロー構造）に形成され、その下面が親扉本体４０及び子扉本体５０の上面に対向している。
【００１７】
取付片部２０ｂは、本体枠部２０ａの下面から屋内側へ水平に延出した基片２０ｄと、この基片２０ｄの、本体枠部２０ａから所定距離離間した位置から垂下した第１取付片２０ｅと、この第１取付片２０ｅから屋内側へ所定距離離間した位置の基片２０ｄから上方に起立した第２取付片２０ｆと、を備える。そして、第１取付片２０ｅの前面に、シールパッキン９２が付設される。第２取付片２０ｆの後面に、額縁材８４の前端面が接合される。また、基片２０ｄと梁部材８１とが、スペーサを貫通するネジ９３で結合されるとともに、基片２０ｄと額縁材８４とがネジ９３で結合される。
【００１８】
取付片部２０ｃは、本体枠部２０ａの後面から上方へ垂直に延出される。この取付片部２０ｃと梁部材８１とが、屋外側の断熱材を貫通するネジ９３で結合される。取付片部２０ｃの前面には、防水テープ９４が貼り付けられる。なお、屋外側の断熱材の表面には、透湿防水シート９５が張り付けられる。
【００１９】
枠体２を構成する下枠２ｂは、本体片部２１ａと取付片部２１ｂと、を備える。
本体片部２１ａは、床材（モルタル８７）に対応して、垂直片２１ｃと水平片２１ｄとで断面Ｌ字状に形成され、その水平片２１ｄの上面が親扉本体４０及び子扉本体５０の下面に対向している。
【００２０】
取付片部２１ｂは、水平片２１ｄの後端から上方へ断面Ｈ字状に延出される。そして、この取付片部２１ｂの垂直片２１ｅの前面にシールパッキン９２が付設されるとともに、水平片２１ｆの上面にすべり止め部材９６が組み付けられる。また、本体片部２１ａと取付片部２１ｂに跨ってアンカーが組み付けられ、モルタル８７の内部に埋め込まれる。
【００２１】
枠体２を構成する右縦枠２ｃは、本体枠部２２ａと、２つの取付片部２２ｂ、２２ｃと、を備える。
本体枠部２２ａは、断面方形（ホロー構造）に形成され、その左側面が親扉本体４０の右側面に対向している。そして、本体枠部２２ａの右側面と親扉本体４０の左側面との間に、上下方向の３箇所に亘って丁番３が介設される（図１参照）。
【００２２】
取付片部２２ｂは、本体枠部２２ａの左側面から屋内側へ垂直に延出した基片２２ｄと、この基片２２ｄの、本体枠部２２ａから所定距離離間した位置から左方へ折曲した第１取付片２２ｅと、この第１取付片２２ｅから屋内側へ所定距離離間した位置の基片２２ｄから右方へ折曲した第２取付片２２ｆと、を備える。そして、第１取付片２２ｅの前面に、シールパッキン９２が付設される。第２取付片２２ｆの後面に、額縁材８４の前端面が接合される。また、基片２２ｄと右方の柱部材８２とが、スペーサを貫通するネジ９３で結合されるとともに、基片２２ｄと額縁材８４とがネジ９３で結合される。
【００２３】
取付片部２２ｃは、本体枠部２２ａの後面から右方へ垂直に延出される。この取付片部２２ｃと右方の柱部材８２とが、屋外側の断熱材を貫通するネジ９３で結合される。取付片部２２ｃの前面には、防水テープ９４が貼り付けられる。
【００２４】
枠体２を構成する左縦枠２ｄは、本体枠部２３ａと、２つの取付片部２３ｂ、２３ｃと、を備える。
本体枠部２３ａは、断面方形（ホロー構造）に形成され、その左側面が子扉本体５０の右側面（戸先側面）に対向している。そして、本体枠部２３ａの左側面と子扉本体５０の右側面との間に、上下方向の３箇所に亘って丁番３が介設される（図１参照）。
【００２５】
取付片部２３ｂは、本体枠部２３ａの右側面から屋内側へ垂直に延出した基片２３ｄと、この基片２３ｄの、本体枠部２３ａから所定距離離間した位置から右方へ折曲した第１取付片２３ｅと、この第１取付片２３ｅから屋内側へ所定距離離間した位置の基片２３ｄから左方へ折曲した第２取付片２３ｆと、を備える。そして、第１取付片２３ｅの前面に、シールパッキン９２が付設される。第２取付片２３ｆの後面に、額縁材８４の前端面が接合される。また、基片２３ｄと左方の柱部材８２とが、ネジ９３で結合されるとともに、基片２３ｄと額縁材８４とがネジ９３で結合される。
【００２６】
取付片部２３ｃは、本体枠部２３ａの後面から左方へ垂直に延出される。この取付片部２３ｃと左方の柱部材８２とが、屋外側の断熱材を貫通するネジ９３で結合される。取付片部２３ｃの前面には、防水テープ９４が貼り付けられる。
【００２７】
上述した上枠２ａ、下枠２ｂ、右縦枠２ｃ及び左縦枠２ｄは、アルミニウム材を用いた押出成形でそれぞれ形成される。
なお、建具１は、木造納まりの例を示したが、ＲＣ（鉄筋コンクリート）造やＳＣ（鉄骨）造及びその他の納まりにも適用できることは言うまでもない。
【００２８】
図５及び図６に示すように、親扉４は、上框４ａ、下框４ｂ、右縦框４ｃ及び左縦框４ｄによって矩形に框組みされた框体を備える。右縦框４ｃは、親扉４の閉鎖時に子扉５の戸先側と係合する係合部４２を有する。また、親扉４は、この框体を覆う面材としての屋内側表面材４０ｂ及び屋外側表面材４０ｃを備える。屋外側表面材４０ｃの開口部４０ａ廻りには、左右の屋外側ガラス押さえ部材４１２、４２２と、上下の屋外側ガラス押さえ部材４３２、４４２と、が取り付けられている。
【００２９】
上框４ａ、下框４ｂ、右縦框４ｃ及び左縦框４ｄには、それぞれ補強芯材１００、１１０、１２０、１３０が取り付けられる。これらの補強芯材１００、１１０、１２０、１３０は、後述する第１の補強芯材１０１〜第３の補強芯材１０３のいずれかによって構成される。
【００３０】
親扉４の開口部４０ａの周縁部は、上窓枠部４１ａと、下窓枠部４１ｂと、右窓枠部４１ｃと、左窓枠部４１ｄとにより構成される。これら窓枠部により、ガラス１１が挟持されて保持される。上窓枠部４１ａ、下窓枠部４１ｂ、右窓枠部４１ｃ、左窓枠部４１ｄには、開口部４０ａの周縁に沿うようにそれぞれ補強芯材１００ａ、１１０ａ、１２０ａ、１３０ａが取り付けられる。
【００３１】
図５及び図７に示すように、子扉５は、上框５ａ、下框５ｂ、右縦框５ｃ及び左縦框５ｄによって矩形に框組みされた框体を備える。右縦框５ｃは、子扉５の閉鎖時に親扉４の戸先側と係合する係合部５２を有する。また、子扉５は、この框体を覆う面材としての屋内側表面材５０ｂ及び屋外側表面材５０ｃを備える。屋外側表面材５０ｃの開口部５０ａ廻りには、左右の屋外側ガラス押さえ部材５１２、５２２と、上下の屋外側ガラス押さえ部材５３２、５４２と、が取り付けられている。
【００３２】
上框５ａ、下框５ｂ、右縦框５ｃ及び左縦框５ｄには、それぞれ補強芯材１００、１１０、１４０、１５０が取り付けられる。これらの補強芯材１００、１１０、１４０、１５０は、後述する第１の補強芯材１０１〜第３の補強芯材１０３のいずれかによって構成される。
【００３３】
屋外側表面材５０ｃの開口部５０ａ廻りには、左右の屋外側ガラス押さえ部材５１２、５２２と、上下の屋外側ガラス押さえ部材５３２、５４２と、が取り付けられている。
【００３４】
子扉５の開口部５０ａの周縁部は、上窓枠部５１ａと、下窓枠部５１ｂと、右窓枠部５１ｃと、左窓枠部５１ｄとにより構成される。これら窓枠部により、ガラス１２が挟持されて保持される。上窓枠部５１ａ、下窓枠部５１ｂ、右窓枠部５１ｃ、左窓枠部５１ｄには、開口部４０ａの周縁に沿うようにそれぞれ補強芯材１００ａ、１１０ａ、１４０ａ、１５０ａが取り付けられる。
【００３５】
本実施形態における戸体の備える第１の補強芯材１０１〜第３の補強芯材１０３について、図８〜図１０を用いて詳細に説明する。図８は、本実施形態における戸体の備える第１の補強芯材の長手方向に対する垂直断面図であり、図９は、本実施形態における戸体の備える第２の補強芯材の長手方向に対する垂直断面図であり、図１０は、本実施形態における戸体の備える第３の補強芯材の長手方向に対する垂直断面図である。
【００３６】
第１の補強芯材１０１について説明する。第１の補強芯材１０１は、親扉４（戸体）の表面材のうち、上側、下側、並びに吊元側に設けられ、屋内側表面材４０ｂ及び屋外側表面材４０ｃに挟持される補強芯材である。また、第１の補強芯材１０１は、子扉５（戸体）の表面材の四周に設けられ、屋内側表面材５０ｂ及び屋外側表面材５０ｃに挟持される補強芯材である。
【００３７】
第１の補強芯材１０１は、長尺に形成され、長手方向の垂直断面がＣ字状に開口するように形成される。第１の補強芯材１０１は、親扉４（子扉５）の外周面となる外周面１０１ａと、屋内側表面材４０ｂ（５０ｂ）と当接する屋内側面１０１ｂと、屋外側表面材４０ｃ（５０ｃ）と当接する屋外側面１０１ｃと、屋内側面１０１ｂ及び屋外側面１０１ｃの開口Ｓ側の端部である開口縁１０１ｄ、１０１ｄを備える。本実施形態においては、屋内側面１０１ｂと、屋外側面１０１ｃとは平行に延びている。
【００３８】
第１の補強芯材１０１は、金属製の芯材１０１１と、芯材１０１１の屋内側面１０１ｂの一部を覆う樹脂材１０１２を有する。金属製の芯材１０１１と、樹脂材１０１２とはインサート成型によって一体で形成される。
【００３９】
図８に示すように、第１の補強芯材１０１は、親扉４（子扉５）の外周面１０１ａと、屋内側面１０１ｂと、屋外側面１０１ｃとの開口Ｓとは反対側の表面を覆うように樹脂材１０１２が形成される。これにより、戸体の断熱性をより高めることができる。
【００４０】
続いて、第２の補強芯材１０２及び第３の補強芯材１０３が第１の補強芯材１０１と異なる点について説明する。なお、第２の補強芯材１０２及び第３の補強芯材１０３の構成の中で、第１の補強芯材と同様の構成については対応する符号を付して説明を一部省略する。
【００４１】
図９に示すように、第２の補強芯材１０２は、外周面１０２ａに樹脂材１０２２が形成されない。これにより、第２の補強芯材１０２の外周面１０２ａの加工性（例えば、切削性）が向上する。このような第２の補強芯材は、例えば外周面にシリンダー錠６ａ、６ｂが設置される、戸先側の框（右縦框４ｃの補強芯材１３０、左縦框５ｄの補強芯材１４０）に設けられるとよい。
【００４２】
図１０に示すように、第３の補強芯材１０３は、第３の補強芯材１０３の開口縁１０３ｄ、１０３ｄが内側に向かって巻き込まれるように形成される。具体的には、開口縁１０３ｄ、１０３ｄは、樹脂材１０３２によって覆われており、開口縁１０３ｄ、１０３ｄ付近の樹脂材１０３２には曲率が設けられている。なお、本実施形態においては、開口Ｓ側に断熱材Ｈが、第３の補強芯材１０３に隣接して配置される。
【００４３】
これらの補強芯材は、いずれも樹脂材と一体に形成されるので形状の調整を行いやすい。例えば、第３の補強芯材１０３のように開口縁１０３ｄ、１０３ｄの樹脂材に曲率をもたせることや、補強芯材を戸体の厚みに併せてサイズを調整することが容易になる。
【００４４】
以上の構成を備える本実施形態によれば、以下の効果が奏される。
本実施形態では、屋内側表面材４０ｂと、屋外側表面材４０ｃと、これら表面材の四周に設けられこれら表面材に挟持される補強芯材１０１と、を備える親扉４（戸体）であって、第１の補強芯材１０１が、金属製の芯材１０１１と、芯材１０１１の少なくとも屋内側面１０１ｂの一部を覆う樹脂材１０１２と、を一体で有する。これにより、金属製の芯材１０１１で戸体を補強しつつ、樹脂材１０１２で断熱性を高めることができる。さらに、金属製の芯材１０１１と、樹脂材１０１２とが一体に形成されるので、戸体の組み立て工数（例えば、金属製の芯材１０１１に樹脂材１０１２をねじで固定する工数）を少なくできる。これにより、製造性を高めることができる。
【００４５】
また、屋内側表面材４０ｂと屋外側表面材４０ｃとの間に配置される断熱材Ｈをさらに備え、第３の補強芯材１０３が、断面Ｃ字状に形成されるとともにその開口Ｓ側に断熱材Ｈが隣接して配置され、樹脂材１０３２が、芯材１０３ａの屋内側面１０３ｂ及び屋外側面１０３ｃを覆うように設けられるとともに、芯材１０３ａの開口縁１０３ｄ、１０３ｄにおいて外側から内側に向かって巻き込まれるように設けられる。そのため、戸体の施工の工程で断熱材Ｈを第３の補強芯材１０３に嵌め込む場合、断熱材Ｈを正規の位置まで押し込みやすくすることができる。これにより、製造性をより高めることができる。
【００４６】
なお、本発明は上記実施形態に限定されるものではなく、本発明の目的を達成できる範囲での変形、改良等は本発明に含まれる。
【００４７】
例えば、補強芯材の屋内側面１０１ｂと、屋外側面１０１ｃとは平行に延びている例について説明した。これに限定されず、屋内側面１０１ｂと、屋外側面１０１ｃとは、開口部に向かって広がりを持ったテーパー状に形成されてもよい。これにより、例えば戸体の施工の工程で断熱材Ｈを補強芯材により嵌め込みやすくすることができる。
【００４８】
また、金属製の芯材と、樹脂材とをインサート成型によって一体で形成した第１の補強芯材１０１〜第３の補強芯材１０３は、屋内側表面材４０ｂと、屋外側表面材４０ｃと、これら表面材の四周に設けられ、これら表面材に挟持される例について説明した。これに限定されず、第１の補強芯材１０１〜第３の補強芯材１０３は、表面材の開口部の周縁に設けられてもよい。具体的には、図５〜図７に示す補強芯材１００ａ〜１５０ａが、金属製の芯材と、樹脂材とをインサート成型によって一体で形成した補強芯材であってもよい。
【符号の説明】
【００４９】
４  親扉（戸体）
５  子扉（戸体）
４０ｂ  屋内側表面材
４０ｃ  屋外側表面材
５０ｂ  屋内側表面材
５０ｃ  屋外側表面材
１０１  第１の補強芯材（補強芯材）
１０１ｄ  屋内側面
１０１１  芯材
１０１２  樹脂材
【図１】
2018104927.tif 000003
【図２】
2018104927.tif 000004
【図３】
2018104927.tif 000005
【図４】
2018104927.tif 000006
【図５】
2018104927.tif 000007
【図６】
2018104927.tif 000008
【図７】
2018104927.tif 000009
【図８】
2018104927.tif 000010
【図９】
2018104927.tif 000011
【図１０】
2018104927.tif 000012